【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
所定信号に起因して実行された抽選処理による抽選結果に対応する変動演出を実行する変動演出実行手段と、
割込み演出開始フラグに基づいて割込み演出を実行する割込み演出実行手段と、を有し、
前記変動演出実行手段は、前記抽選結果が特別遊技状態となるものであるか否かの結果を示す変動図柄の前記変動演出に関して、変動時間が異なる第１変動パターンと第２変動パターンを少なくとも含む複数種類の変動パターンに応じた変動演出を実行可能であり、前記変動図柄が確定すると、前記変動演出を停止し、
前記割込み演出は、複数回の前記抽選結果にそれぞれ対応する変動演出に亘って実行可能な演出であり、
前記割込み演出実行手段は、前記変動図柄が確定しても、前記割込み演出を停止せず継続し、
前記割込み演出実行手段は、前記第１変動パターンと前記第２変動パターンとで共通の演出シナリオによって前記割込み演出開始フラグに基づいて前記割込み演出を実行してなる遊技機。
【請求項２】
前記変動演出実行手段は、前記第１変動パターンと前記第２変動パターンとでそれぞれ異なる変動演出パターンシナリオによって変動演出を実行し、
前記共通の演出シナリオは、前記割込み演出が実行される場合の変動パターンにおいても、前記変動演出パターンシナリオには組み込まれず、該変動演出パターンシナリオに組み込まれた前記割込み演出開始フラグに基づいて読み出されてなる請求項１に記載の遊技機。
【請求項３】
前記割込み演出実行手段は、前記第１変動パターンと前記第２変動パターンとでそれぞれ異なるタイミングに設定されている前記割込み演出開始フラグに基づいて前記割込み演出を実行してなる請求項１又は２に記載の遊技機。
【手続補正２】
【補正対象書類名】明細書
【補正対象項目名】０００１
【補正方法】変更
【補正の内容】
【０００１】
本発明は、パチンコ機、アレンジボール機、雀球遊技機、スロットなどの遊技機に関し、より詳しくは、プログラムの容量を削減することができ、さらに、処理を簡素化することができる遊技機に関する。
【手続補正３】
【補正対象書類名】明細書
【補正対象項目名】０００４
【補正方法】変更
【補正の内容】
【０００４】
しかしながら、上記のような遊技機は、プログラムの容量を削減することができておらず、さらに、処理を簡素化することができていないといった問題があった。
【手続補正４】
【補正対象書類名】明細書
【補正対象項目名】０００５
【補正方法】変更
【補正の内容】
【０００５】
そこで本発明は、上記問題に鑑み、プログラムの容量を削減することができ、さらに、処理を簡素化することができる遊技機を提供することを目的としている。
【手続補正５】
【補正対象書類名】明細書
【補正対象項目名】０００７
【補正方法】変更
【補正の内容】
【０００７】
請求項１の発明に係る遊技機によれば、所定信号に起因して実行された抽選処理による抽選結果に対応する変動演出を実行する変動演出実行手段（例えば、図３に示すサブ制御ＣＰＵ８００ａ，図２０に示すステップＳ５０）と、
割込み演出開始フラグ（例えば、明細書段落［００７２］〜［００７８］に記載の開始フラグ参照）に基づいて割込み演出を実行する割込み演出実行手段（例えば、図３に示すサブ制御ＣＰＵ８００ａ，図２０に示すステップＳ５０）と、を有し、
前記変動演出実行手段（例えば、図３に示すサブ制御ＣＰＵ８００ａ，図２０に示すステップＳ５０）は、前記抽選結果が特別遊技状態となるものであるか否かの結果を示す変動図柄（例えば、図７（ａ）に示す左特別図柄ＳＤ１，中特別図柄ＳＤ２，右特別図柄ＳＤ３）の前記変動演出に関して、変動時間が異なる第１変動パターンと第２変動パターンを少なくとも含む複数種類の変動パターン（例えば、図１１（ｂ）参照）に応じた変動演出を実行可能であり、前記変動図柄（例えば、図７（ａ）に示す左特別図柄ＳＤ１，中特別図柄ＳＤ２，右特別図柄ＳＤ３）が確定すると、前記変動演出を停止し、
前記割込み演出は、複数回の前記抽選結果にそれぞれ対応する変動演出に亘って実行可能な演出であり、
前記割込み演出実行手段（例えば、図３に示すサブ制御ＣＰＵ８００ａ，図２０に示すステップＳ５０）は、前記変動図柄（例えば、図７（ａ）に示す左特別図柄ＳＤ１，中特別図柄ＳＤ２，右特別図柄ＳＤ３）が確定しても、前記割込み演出を停止せず継続し、
前記割込み演出実行手段（例えば、図３に示すサブ制御ＣＰＵ８００ａ，図２０に示すステップＳ５０）は、前記第１変動パターンと前記第２変動パターンとで共通の演出シナリオ（例えば、明細書段落［００７２］〜［００７８］に記載の突入演出のシナリオ参照）によって前記割込み演出開始フラグ（例えば、明細書段落［００７２］〜［００７８］に記載の開始フラグ参照）に基づいて前記割込み演出を実行してなることを特徴としている。
【手続補正６】
【補正対象書類名】明細書
【補正対象項目名】０００８
【補正方法】変更
【補正の内容】
【０００８】
また、請求項２の発明に係る遊技機によれば、上記請求項１に記載の遊技機において、前記変動演出実行手段（例えば、図３に示すサブ制御ＣＰＵ８００ａ，図２０に示すステップＳ５０）は、前記第１変動パターンと前記第２変動パターンとでそれぞれ異なる変動演出パターンシナリオ（例えば、図１１（ｂ）に示す会話予告演出参照）によって変動演出を実行し、
前記共通の演出シナリオ（例えば、明細書段落［００７２］〜［００７８］に記載の突入演出のシナリオ参照）は、前記割込み演出が実行される場合の変動パターンにおいても、前記変動演出パターンシナリオ（例えば、図１１（ｂ）に示す会話予告演出参照）には組み込まれず、該変動演出パターンシナリオ（例えば、図１１（ｂ）に示す会話予告演出参照）に組み込まれた前記割込み演出開始フラグ（例えば、明細書段落［００７２］〜［００７８］に記載の開始フラグ参照）に基づいて読み出されてなることを特徴としている。
【手続補正７】
【補正対象書類名】明細書
【補正対象項目名】０００９
【補正方法】変更
【補正の内容】
【０００９】
さらに、請求項３の発明に係る遊技機によれば、上記請求項１又は２に記載の遊技機において、前記割込み演出実行手段（例えば、図３に示すサブ制御ＣＰＵ８００ａ，図２０に示すステップＳ５０）は、前記第１変動パターンと前記第２変動パターンとでそれぞれ異なるタイミングに設定されている前記割込み演出開始フラグ（例えば、明細書段落［００７２］〜［００７８］に記載の開始フラグ参照）に基づいて前記割込み演出を実行してなることを特徴としている。
【手続補正８】
【補正対象書類名】明細書
【補正対象項目名】００１０
【補正方法】変更
【補正の内容】
【００１０】
本発明によれば、プログラムの容量を削減することができ、さらに、処理を簡素化することができる。
【手続補正９】
【補正対象書類名】明細書
【補正対象項目名】０１９６
【補正方法】変更
【補正の内容】
【０１９６】
１                パチンコ遊技機
４１              液晶表示装置
６０              主制御基板
８０              サブ制御基板
８００ａ          サブ制御ＣＰＵ（変動演出実行手段、割込み演出実行手段）
ＳＤ１            左特別図柄（変動図柄）
ＳＤ２            中特別図柄（変動図柄）
ＳＤ３            右特別図柄（変動図柄）